(57)【要約】【課題】  本発明は、発熱電子部品が搭載された回路基板が内蔵された電子機器に関し、第１面に発熱電子部品が搭載された回路基板の第２面側にファンを備えた構造を採用し、効率的な放熱を実現する。【解決手段】  回路基板２８０が、第１面に発熱電子部品が搭載されるとともに、第１面側の空気を第２面側に通過させる開口２８４が形成されたものであり、回路基板の第１面に対面して広がる板金部材２７０が、回路基板とは反対側を向いた第１面に凹溝が形成されるとともに、回路基板側を向いた第２面の、上記凹溝の裏面に対応する部分に凸条２７２が形成され、その凸条の背に回路基板２８０の第１面側の空気を開口２８４に誘導する誘導斜面２７２ａ，２７２ｂが形成されている。【選択図】        図３６
2010009430.tif 000002
【特許請求の範囲】
【請求項１】
互いに平行に広がる２面と該２面の周縁どうしを繋ぐ側面とを有する筐体と、
前記筐体内に配置され前記２面と平行に広がる回路基板と、
前記回路基板の第１面に対面して広がる板金部材と、
前記回路基板の第２面側に備えられたファンとを有し、
前記回路基板が、前記第１面に発熱電子部品が搭載されるとともに、前記第１面側の空気を前記第２面側に通過させる開口が形成されたものであり、
前記板金部材が、前記回路基板とは反対側を向いた第１面に凹溝が形成されるとともに、該回路基板側を向いた第２面の、前記凹溝の裏面に対応する部分に凸条が形成され、該凸条の背に前記回路基板の前記第１面側の空気を前記開口に誘導する誘導斜面が形成されてなることを特徴とする電子機器。
【請求項２】
前記凸条が、前記回路基板の前記第１面に搭載された複数の発熱電子部品に対向して延びる凸条であることを特徴とする請求項１記載の電子機器。
【請求項３】
前記板金部材が、さらに、前記回路基板上に搭載された発熱電子部品に向かって凸に形成され密着用の伝熱剤を介して該発熱電子部品に接した受熱部を有することを特徴とする請求項１又は２記載の電子機器。
【請求項４】
前記凹溝内を経由して延びるケーブルを有することを特徴とする請求項１から３のうちいずれか１項記載の電子機器。
【請求項５】
前記板金部材の前記第１面に接して配置されたキーボードをさらに備えたことを特徴とする請求項１から４のうちいずれか１項記載の電子機器。
【請求項６】
表示パネルを有し前記筐体に開閉自在に連結された第２筐体をさらに備えたことを特徴とする請求項１記載の電子機器。
【発明の詳細な説明】
【技術分野】
【０００１】
本発明は、発熱電子部品が搭載された回路基板が内蔵された電子機器に関する。
【背景技術】
【０００２】
ノート型パーソナルコンピュータ（以下、「ノートＰＣ」と略記する）は、上面にキーボードを備え内部にＣＰＵ等の発熱電子部品が備えられた本体ユニットを有する。その本体ユニットは、その発熱電子部品の熱を放出するためのファンを備えるなど放熱のための様々な工夫が施されている。
【０００３】
ここで、部品配置上、第１面に発熱電子部品が搭載された回路基板の第２面側にファンを備える構造を採用する必要がある場合に、発熱電子部品の熱を如何にして効率的に放熱するかが問題となる。
【０００４】
ここで、特許文献１には、キーボード背面に放熱板を配置しその放熱板を発熱電子部品に接触した構造が示されている。この特許文献１にはさらにファンが備えられてファンにより内部の空気を外部に排気する構造が採用されている。しかしながら、このファンは回路基板の、発熱電子部品が搭載された第１面とは裏側の第２面に沿って流れる空気を外部に排気するものであり、ファンを備えているにもかかわらず放熱効率が悪いという問題がある。
【０００５】
また、特許文献２は、発熱電子部品を、回路基板に搭載することに代えて放熱用のシャーシ上に載置する構造が示されている。しかしながら、発熱部品を回路基板とは別体に配置すると配線が大変であり、組立てが極めて煩雑化することになる。
【０００６】
さらに、特許文献３には、回路基板に穴を開けて回路基板の第１面に搭載された発熱電子部品で熱められた空気を穴を通過させ第２面側に導いてファンで排気する構造が示されている。この構造によれば、第１面側で熱せられた空気を第２面側に導くことができ、ファンによる放熱の、ある程度の効率化を図ることができるが、その穴に如何にして空気を円滑に流入させるかが問題となる。
【０００７】
さらに、特許文献４には、シャーシに形成した溝を利用してケーブルを配線する構造が示されているが、発熱電子部品の熱の放出とは無関係である。
【特許文献１】特開２００１−１４２５７４号公報
【特許文献２】特開平１１−３０７９６９号公報
【特許文献３】特開２００８−２８１９３号公報
【特許文献４】特開２００３−２８３１５９号公報
【発明の開示】
【発明が解決しようとする課題】
【０００８】
本件開示の電子機器の課題は、第１面に発熱電子部品が搭載された回路基板の第２面側にファンを備えた構造を採用し、かつ効率的な放熱を実現することにある。
【課題を解決するための手段】
【０００９】
本件開示の電子機器は
互いに平行に広がる２面と該２面の周縁どうしを繋ぐ側面とを有する筐体と、
筐体内に配置され上記２面と平行に広がる回路基板と、
回路基板の第１面に対面して広がる板金部材と、
回路基板の第２面側に備えられたファンとを有し、
上記回路基板が、第１面に発熱電子部品が搭載されるとともに、第１面側の空気を第２面側に通過させる開口が形成されたものであり、
上記板金部材が、回路基板とは反対側を向いた第１面に凹溝が形成されるとともに、該回路基板側を向いた第２面の、上記凹溝の裏面に対応する部分に凸条が形成され、その凸条の背に上記回路基板の第１面側の空気を上記開口に誘導する誘導斜面が形成されてなる電子機器である。
【００１０】
本件開示の電子機器は、回路基板に開口が形成され、回路基板に対面して広がる板金部材に上記の誘導斜面が形成されているため、回路基板の、発熱電子部品が搭載された第１面側の空気がその誘導斜面によって開口に誘導されて第２面側に流れることになる。したがって、空気が円滑に流れ、放熱の効率化に寄与する。
【発明の効果】
【００１１】
本件開示の電子機器によれば、回路基板に沿う空気の円滑な流れを実現し効率的な放熱が行なわれる。
【発明を実施するための最良の形態】
【００１２】
以下、本件の実施形態について説明する。
【００１３】
図１は、電子機器の一実施形態としてのノート型パーソナルコンピュータ（ノートＰＣ）の開状態における外観を示した斜視図である。図２は、図１と同じノートＰＣの、第１の閉状態における外観を示した斜視図である。図３は、図１，図２と同じノートＰＣの、第２の閉状態における外観を示した斜視図である。図４は、図１〜図３と同じノートＰＣの底面を示した斜視図である。
【００１４】
このノートＰＣ１０は、図１に示すように、本体ユニット２０と表示ユニット３０とを有する。表示ユニット３０は、本体ユニット２０に対しヒンジ４０で接続されている。
【００１５】
本体ユニット２０は、その上面にキーボード２１や、電源ボタン２２ａを始めとする各種の操作ボタン２２を備えている。
【００１６】
また、表示ユニット３０は、表示画面３１や指紋センサ３２などを備えている。
【００１７】
ヒンジ４０は、第１回転軸と第２回転軸とを有する２軸のヒンジである。第１の回転軸は、表示ユニット３０を本体ユニット２０上に開閉させる水平な軸である。第２の回転軸は、開状態にある表示ユニット３０を本体ユニット２０に対し回動させる、第１の回転軸に対し垂直な軸である。
【００１８】
このノートＰＣ１０は、このヒンジ４０により、図１に示す開状態と、その開状態から表示ユニット３０をそのまま本体ユニット２０上に閉じた第１の閉状態（図２参照）と、さらに、図１に示す開状態にある表示ユニット３０の向きを反転させた後に本体ユニット２０上に閉じた第２の閉状態（図３参照）とを有する。
【００１９】
図２に示す第１の閉状態では、表示画面３１は本体ユニット２０側を向いていて外面には表示ユニット３０の背面が表われる。この第１の閉状態は、ノートＰＣ１０を使用していない状態となる。また、図３に示す第２の閉状態では、表示画面３１は外面にあらわれる。この第２の閉状態は、ノートＰＣ１０をいわゆるスレート型のＰＣとして使用できる状態である。
【００２０】
ここで、表示ユニット３０の筐体は、基体３１０（図２参照）、枠体３２０を有する。基体３１０は、表示画面３１の背面を覆う板部とその板部の周縁に立設した側面部とを有し電子部品を収容する。枠体３２０は、表示画面３１を表に出す開口３２１が形成された、基体３１０の周縁部を覆って表示画面３１とともに表示ユニット３０の前面を形成する。枠体３２０は、基体３１０に、４隅のネジ３３でネジ止めされる。
【００２１】
図４に示す、本体ユニット２０は、その底面に、着脱型のバッテリユニット２３や内部で熱せられた空気を排気するための排気口２４９を備える。
【００２２】
尚、ここではこのノートＰＣ１０の外観について概括したが、外観にあらわれた、後述する説明で必要となる各種部材のうち、まだ説明していない部材についてはその都度説明する。
（無線通信用アンテナの構造）
図５，図６は、図１〜図４に示すノートＰＣと同じノートＰＣであって、開状態において、アンテナユニットを、それぞれ立設した状態および、横に延ばした状態を示す外観斜視図である。
【００２３】
このノートＰＣ１０の表示ユニット３０は、板片形状のアンテナユニット３４を備えている。このアンテナユニット３４は、図５に示す左上端のネジ３３ａを中心に回動自在に表示ユニット３０のアンテナ収容部３５に収容される。アンテナユニット３４は、アンテナ収容部３５から取り出されて、図５に示す垂直に立てた状態と図６に示す横に延ばした状態との２箇所で静止する。ここで、このアンテナ収容部３５は、基体３１０（図２参照）の、表示ユニット３０の左上の角を含み、その左上の角から左の１辺（左辺）に沿って下方に延在する位置に形成されている。アンテナ収容部３５は、その前面が枠体３２０で覆われ、左の側面に収納されたアンテナユニット３４を取り出すための開口３５１を備えている。
【００２４】
また、アンテナユニット３４は、その先端部に、各側辺それぞれを延長する方向に突出した第１の突起３４１および第２の突起３４２を有する。これら第１の突起３４１および第２の突起３４２の作用については後述する。
【００２５】
図７は、アンテナユニット３４の収納状態を示す正面図である。
【００２６】
アンテナユニット３４は、アンテナ収容部３５に収容された状態で、ロック機構３６により、アンテナ収容部３５からはみ出ないようにロックされている。ユーザがスライドレバー３６１をスライド操作すると、ロック機構３６はそのロックを解除し、アンテナユニット３４をアンテナ収容部３５から取り出し可能にする。
【００２７】
また、ここには、アンテナユニット３４に電気的に接続されたケーブル３５３が設けられる。このケーブル３５３は、アンテナユニット３４の回動中心の周りに、このアンテナユニット３４をアンテナ収容部３５から取り出す方向に回動させたときに巻き戻される方向に巻回している。
【００２８】
また、表示ユニット３０は、その右辺側に、固定的に内蔵されたもう１つのアンテナ３７を備える。左側のアンテナユニット３４と右側のアンテナ３７は、対になってダイバーシティアンテナを構成している。
【００２９】
図８は、表示ユニット前面の、表示画面周囲を覆う枠体３２０（図７参照）を取り外し、アンテナユニット３４の先端部とアンテナユニット３４をロックするロック機構３６の部分を示した斜視図である。
【００３０】
上述したように、アンテナユニット３４は、その先端部に第１の突起３４１と第２の突起３４２を備える。第１の突起３４１は、アンテナユニット３４３がアンテナ収容部３５に収納された状態における、アンテナ収容部３５の奥側の辺を延長するように突出した突起である。第２の突起は、アンテナユニット３４３がアンテナ収容部３５に収納された状態における、アンテナ収容部３５の開口３５１側の側面に沿って延びる突起である。アンテナユニット３４３がアンテナ収容部３５に収納されると、第１の突起３４１が、ロック機構３６を構成する係止爪３６２ａに係止される。これによって、アンテナユニット３４は、その係止により、アンテナ収容部３５内に保持される。ユーザがロック機構３６を構成するスライドレバー３６１を矢印Ａ方向にスライド操作すると、係止爪３６２ａによる係止が解除され、アンテナユニット３４がアンテナ収容部３５から取り出される。
【００３１】
ここでロック機構３６の上には、小型の回路基板３７が配置されており、図８では、ロック機構３６の一部がその回路基板３７の下に隠れている。
【００３２】
図９は、ロック機構を覆う回路基板を取り外してアンテナユニットおよびロック機構の部分を示した平面図である。図１０はスライドレバーがスライド操作された状態のロック機構を示した図である。図１０では、アンテナユニットは示されていない。
【００３３】
このロック機構３６はスライドレバー３６１と、係止部材３６２と、コイルバネ３６３とで構成されている。
【００３４】
スライドレバー３６１は、表示ユニット３１の側面の、アンテナ収容部３５に収容された状態のアンテナユニット３４の先端部に隣接した位置に設けられている。スライドレバー３６１は、表示ユニット３０の側面の開口（図示せず）を通って表示ユニット筐体の内側に２本の脚部３６１ａをフォーク状に延ばしている。
【００３５】
また、係止部材３６２は、表示ユニット３０の筐体を構成する基体３１０の、表示画面３１の背面を覆う板部から突出したボス３１１に回動自在に軸支されている。係止部材３６２は、上述の係止爪３６２ａと、操作受アーム３６２ｂと、押出アーム３６２ｃとを有する。
【００３６】
操作受アーム３６２ｂは、スライドレバー３６１に向けて延在し、その先端部に、スライドレバー３６１の２本の脚部３６１ａに挟まれるボス３６２ｄを有する。操作受アーム３６２ｂは、スライドレバー３６１のスライド操作を受けて、この係止部材３６２を回動させるものである。
【００３７】
スライドレバー３６１がスライド操作されると、係止部材３６２は図１０に示すように回動する。係止爪３６２ａは、この係止部材３６２の回動によりアンテナユニット３４の第１の突起３４１（図９参照）への係止を解除する。また、押出アーム３６２ｃは、係止爪３６２ａによる係止解除とともにアンテナユニット３４の奥側の側面を押して、アンテナユニット３４をアンテナ収容部３５から押し出す。このとき、ケーブル３５３は、上述した方向でアンテナユニット３４の回動中心の周りに巻回されているため、押出アーム３６２ｃで押し出されたアンテナユニット３４をさらに押し出す方向に力を加える。これにより、アンテナ収容部３５からのアンテナユニット３４の容易な取り出しが実現される。
【００３８】
ユーザは、アンテナ収容部３５から押し出されたアンテナユニット３４の第２の突起３４２に爪を引っ掛けて、アンテナユニット３４をさらに引き出すことができる。
【００３９】
コイルバネ３６３は、スライドレバー３６１の脚部３６１ａを押して、係止爪３６２ａがアンテナユニット３４の第１の突起３４１を係止する姿勢を保つ方向に係止部材３６２を付勢するものである。
【００４０】
図１１は、アンテナユニット３４の分解図である。
【００４１】
このアンテナユニット３４は、板片形状の上カバー３４３、アンテナ３４４、および下カバー３４５で構成されている。上カバー３４３はその一端側に貫通孔３４３ａを備える。アンテナ３４４および下カバー３４５は、貫通孔３４３ａに対応する位置に、それぞれ貫通孔３４４ａ，３４５ａを備える。アンテナユニット３４は、下カバー３４５にアンテナ３４４が嵌め込まれ、さらに下カバー３４５に上カバー３４３が装着されて組み立てられる。上カバー３４３および下カバー３４５は、例えば、エストラマ、ゴム（ＮＢＲ、シリコンゴム、ＣＲ）、シート（ＰＥＴ、ＰＣ）等のフレキシブル材で形成される。また、アンテナ３４４は、ＦＰＣアンテナ、基板アンテナ、板金アンテナなどから任意のものを採用すればよい。
【００４２】
図１２は、組み立てられた状態のアンテナユニット３４の回動中心の部分を、上カバー３４３側から見たときの斜視図である。
【００４３】
図１２に示すように、アンテナユニット３４は、挿通孔３４６を備える。表示ユニット３０の筐体の板部に立設したボス３１２（図１３参照）が挿通孔３４６に挿通される。挿通孔３４６の縁を形成する軸受部３４７は、挿通孔３４６を取り囲む４つの凹部３４７ａを備える。このボス３１２は突起部に相当する。挿通孔３４６は半田付け、カシメ、接着、ネジ固定などの所定の固定方法でアンテナ５２にアンテナと導通するよう固定される。
【００４４】
図１３は、アンテナ収容部３５の、アンテナユニット３４の回動軸の部分を示した図である。
【００４５】
表示ユニット３０の、アンテナ収容部３５の一端である左上の角部には、その表示ユニット３０の筐体を構成する基部３１０からボス３１２が立設している。このボス３１２の中央には雌ネジ３１２ａが形成されている。また、ボス３１２の根元には、相互に離れた位置に４つのリブ３１３が基部３１０に形成されている。
【００４６】
図１４は、図１３に示すボスに嵌め込まれる板金部材５０を示す図である。
【００４７】
この図１４に示す板金部材５０には、ボス３１２（図１３参照）が挿入される穴５１ａが形成された円環部５１の、相互に離れた位置に２つの凸部５１ｂが形成されている。
【００４８】
図１５は、図１３に示すボスに図１４に示す板金部材５０が嵌め込まれた状態を示した図である。
【００４９】
板金部材５０は、隣接するリブ３１３どうしの中間に凸部５１ｂが配置される向きにボス３１２に装着される。したがって、この凸部５１ｂが押されると、この板金部材５０は弾性的に変形する。
【００５０】
ボス３１２には、図１５に示すように板金部材５０が装着された上にアンテナユニット３４が装着される。アンテナユニット３４は、その軸受部３４７（図１２参照）の、凹部３４７ａが形成された端面が板金部材５０と接する向きで、ボス３１２が挿通孔３４６に通される。ここで、アンテナユニット３４がアンテナ収容部３５に収容された状態、アンテナユニット３４が図６に示すように９０°回動して横に延びた状態、およびアンテナユニットが図５に示すようにさらに９０°回動して上に延びた状態の３つの姿勢で板金部材５０の凸部５１ｂがアンテナユニット３４の軸受部３４７の４つの凹部３４７ａのうちのいずれか２つに嵌入して、アンテナユニット３４をその姿勢に保持する。上記の３つの姿勢のうちのいずれかの姿勢にあるアンテナユニット３４に回動方向の力が加えられると、上述のように板金部材５０が変形してその係合が外れ、アンテナユニット３４が回動する。
【００５１】
上述のように、ボス３１２には、板金部材５０が装着され、さらにアンテナユニット３４が装着され、さらに、その上に、表示ユニット３０の筐体を構成する枠体３２０（例えば図１，図３，図５等参照）が配置される。そのような装着状態で、枠体３２０は、ボス３１２の雌ネジ３１２ａを使って、ネジ３３ａ（図５等参照）でネジ止めされる。
【００５２】
仮に、アンテナユニット３４の、回動軸への支持と、枠体３２０の固定とを別々に構成すると、その分、表示ユニット３０の厚みが増加するおそれがあるが、本実施形態では、枠体３２０を含めて一体的にネジ止めしているため、表示ユニット３０の薄型化に寄与している。また本実施形態では、薄い板金部材５０でクリックを実現しており、この点も表示ユニットの薄型化に寄与している。
（スイッチ構造）
図１６は、これまで説明してきたノートＰＣと同じノートＰＣの、第１の閉状態における側面を示した斜視図である。図１７は、同じノートＰＣの第２の閉状態における奥側を示した斜視図である。図１８は、開状態におけるノートＰＣの背面を示した斜視図である。
【００５３】
図１６に示す側面には、ＡＣアダプタからの電力の供給を受けるための電源プラグ２５や操作部材２６が示されている。
【００５４】
また、図１７には、ロッドアンテナ２７（図１８参照）の先端部２７ａが示されている。
【００５５】
さらに、図１８には、本体ユニット２０から引き出された状態のロッドアンテナ２７が示されている。
【００５６】
このノートＰＣ１０には、本体ユニット２０にロッドアンテナ２７が収納されている。ロッドアンテナ２７は、その頭部２７ａをつまんで本体ユニット２０から引き出すことができ、図１８に示すように折り曲げることもできる。
【００５７】
ここで、以下に説明するように、操作部材２６は、そのロッドアンテナ２７を間に挟んで、そのロッドアンテナ２７の奥に備えられた切替スイッチの切替操作に用いられるものであり、そのロッドアンテナ２７との干渉を避けるため工夫が施されている。
【００５８】
図１９は、開状態のノートＰＣ１０の、本体ユニット２０の筐体を構成する上カバー２１０を取り外して、その上カバー２１０とともに示した図である。図２０は、その上カバーのみを、その上カバーの側面が見える角度から示した図である。
【００５９】
本体ユニット２０の筐体は、互いに略平行に広がる、図１９に示す上カバー２１０と、本体ユニット２０の底部（図４参照）を形成する基体とで構成されている。それらの基体と上カバー２１０は、上面（上カバー２１０）と底面（基体）の周縁どうしを繋ぐ側面を形成する。
【００６０】
この本体ユニット２０の筐体内部には、それら上面および底面と略平行に回路基板が広がっている。
【００６１】
上カバー２１０は、本体ユニット２０に搭載されたキーボード２１の上部を露出させる開口２１１が形成された枠状のカバー部材である。その上カバー２１０は、さらに、電源ボタン２２ａをはじめとする各種の操作ボタン２２を備えている。
【００６２】
また、本体ユニット２０の、上カバー２１上の各種の操作ボタン２２の直下の位置には、各操作ボタン２２の押下を検出する、電源スイッチ２８ａを始めとする複数の検出スイッチ２８が備えられている。また本体ユニット２０内には、操作部材２６の操作片２６１（後述する）の直ぐ内側に隣接した位置にロッドアンテナ２７が収容される。図１９は、ロッドアンテナ２７の一部が引き出された状態を示している。
【００６３】
図２１は、上カバーを上下逆向きにし、上カバーの、操作部材が配置される部分の内側を示した図である。ただし、この図２１では、操作部材２６（図１９，図２０参照）も取り外されている。
【００６４】
図２１に示すように、上カバー２１０は、その側面に、操作部材２６が通る開口２１２を備えている。また、その上カバー２１０は、開口２１２の内側に２本のフック２１３，２１４を備える。これら２本のフック２１３，２１４のうちの寸法の大きい方のフック２１３は、上カバー２１０の組立て用のフックである。
【００６５】
寸法の小さい方のフック２１４は、操作部材２６を支持する役割りとその操作部材２６のスライド操作の範囲を規制する役割りを担っているフックである。
【００６６】
図２２は、上カバーから取り外した操作部材２６のみを示した図である。ここには、図２１に合わせて、上下逆にした状態の操作部材２６の斜視図が示されている。また、図２３は、上カバーに操作部材を装着した状態（操作前）を示した図である。図２４は、上カバーに操作部材を装着した状態（操作後）を示した図である。
【００６７】
図２２に示す操作部材２６は、操作片２６１と操作アーム２６２を有する。操作片２６１は、本体ユニット２０の筐体の外側に位置してユーザによるスライド操作を受ける。操作アーム２６２は、その操作片２６１から、図２１に示す開口２１２を通って内側に延在し後述する切替スイッチを切り替える。ここで、切替スイッチ（正確には、図２５に示す切替スイッチ２９の切替レバー２９１）は、開口２１２と切替スイッチを直線的に結んだときにロッドアンテナ２７と干渉する位置に配置される。この操作アーム２６２は、そのロッドアンテナ２７を迂回する窪み２６２ａを備えている。さらに、この操作アーム２６２は、開口２６２ｂと切替部２６２ｃを備える。開口２６２ｂは、図２１に示すフック２１４を通すものである。スイッチ切替部２６２ｃは、切替スイッチ側先端部に、切替スイッチに接触してその切替スイッチを切り替えるものである。このスイッチ切替部２６２ｃは、図２３，図２４に示すように、斜面２６２ｄと、斜面２６２ｄに続く立壁面２６２ｅを備えている。斜面２６２ｄは、上カバー２１０を組み立てる際に切替スイッチに接触して、操作片２６１がスライド範囲内のどの位置にあっても初期位置（図２３に示す、操作片２６１が矢印Ｂ側に寄った位置）に誘導するための斜面である。また立壁面２６２ｅは、組立後に切替スイッチと接触し操作片２６１へのスライド操作を受けて切替スイッチを切り替えるためのものである。また、この操作部材２６には、フック２１４（図２２参照）が係止する係止台２６２ｆが設けられている。
【００６８】
この操作部材２６は、図２３，図２４に示すように、フック２１４が開口２６２ｂ（図２２参照）を通ってその操作部材２６の係止台２６２ｆ（図２２参照）を係止した状態に配置される。この状態では、上カバー２１０が組み立てる際に切替スイッチが斜面２６２ｄに接触してその操作部材２６が図２３に示す矢印Ｂ方向に移動し切替スイッチと立壁面２６２ｅとが当接する。組立後に、操作片２６１が図２４に示す矢印Ｃ方向にスライド操作されると、立壁面２６２ｅで切替スイッチを押し、切替スイッチが切り替えられる。操作片２６１のスライド操作の操作量は、開口２６２ｂに挿入されているフック２１４によって規制される。
【００６９】
図２５は、回路基板上に配置された切替スイッチを示した図である。
【００７０】
キーボード２１の下部には回路基板２８０が広がっている。その回路基板２８０の、ロッドアンテナ２７側の端部に切替スイッチ２９が搭載されている。この切替スイッチ２９には切替レバー２９１が備えられている。この切替レバー２９１が矢印Ｃ方向にスライド操作されると、この切替スイッチ２９の状態が切り替えられる。この切替スイッチ２９の内部には、切替レバー２９１を矢印Ｃとは逆方向に付勢するバネが内蔵されている。切替レバー２９１の矢印Ｃ方向へのスライド操作を停止すると、切り替えレバー２９１はそのバネによって元の初期位置に自動的に戻るようになっている。図２４に示す操作片２６１のスライド操作の方向を示す矢印Ｃは、図２５に示す矢印Ｃと対応しており、上カバー２４を組み立てるとそれらの双方の矢印Ｃは同じ方向を示す。
【００７１】
切替スイッチ２９は、回路基板２８０上の、ロッドアンテナ２７側の１辺に沿った位置に搭載される。ロッドアンテナ２７は、回路基板２８０と本体ユニット２０の筐体の側面との間に形成される間隙に配置されている。このロッドアンテナ２７は、仮に、操作部材２６を取り除いた状態の上カバー２１０を組みたてたときの上カバー２１０の開口２１２（図２１参照）から本体ユニット２０の内部を覗いたときに、その開口２１２と切替スイッチ２９の間にロッドアンテナ２７が存在しているためそのロッドアンテナ２７が邪魔になって切替スイッチ２９の切替レバー２９１が視認できない位置に備えられている。図２２に示す、操作部材２６の窪み２６２ａは、この邪魔な位置に備えられているロッドアンテナ２７を迂回するためのものである。
【００７２】
図２６は、上カバーから取り外した操作部材２６を上カバーのない本体ユニット上に直接に配置した状態を示した図である。図２７は、上カバーを組立てた状態における図１の矢印Ｘに沿う部分断面図である。
【００７３】
操作部材２６は、アンテナロッド２７を迂回して切替スイッチ２９を操作する構成となっている。
【００７４】
尚、ここでは、操作片２６１と切替スイッチ２９との間にロッドアンテナ２７が配置されている例について示したが、操作片と切替スイッチとの間に存在する部品はロッドアンテナ２７である必要はなく、他の部品、例えば、平面上をなぞるスタイラスペンやその他の部品が配置されている場合であってもその部品を避けるように迂回させた構造の操作部材２６を採用し、その部品の奥側にある切替スイッチを操作することができる。
（ケーブルを介在させた接地構造）
図２８は、開状態にあるノートＰＣ１０の、本体ユニット２０の上カバーを取り外した状態を示した斜視図である。
【００７５】
この図２８に示すヒンジ４０の右側には、電源スイッチ２８ａを含む４つのスイッチ２８が搭載されたスイッチ基板２３０が示されており、また本体ユニット２０の内部と表示ユニット３０の内部との間を連結するケーブル２４０が示されている。
【００７６】
図２９は、スイッチ基板２３０の部分の拡大斜視図である。
【００７７】
ヒンジ４０は、ケーブル２４０を、本体ユニット２０の内部と表示ユニット３０の内部とに跨って通過させる通過孔４０１を有する。
【００７８】
スイッチ基板２３０は、２本のネジ２３９で、本体ユニット２０の筐体上に配置された接地部材２５０との間にケーブル２４０を挟んで筐体にネジ止めされている。
【００７９】
図３０は、スイッチ基板２３０のネジ止めを取り外して、そのスイッチ基板２３０の裏面と、ケーブル２４０のスイッチ基板２３０に隠れた部分を示した図である。
【００８０】
図２９に示すように、本体ユニットの筐体上の、ヒンジ４０の通過孔４０１の本体ユニット側入口近傍に、金属片からなる接地部材２５０が配置されており、その上をケーブル２４０が通過している。このケーブル２４０は、図３０に示すように、ヒンジ４０の通過孔４０１の本体ユニット側入口に隣接した部分の外面が導体箔２４１で覆われている。また、スイッチ基板２３０も、ヒンジ４０の通過孔４０１の本体ユニット側入口に隣接した位置に配置されている。そのスイッチ基板２３０の裏面の、ケーブル２４０外面の導体箔２４１に接する部分には、接地パターン２３１が広がっている。このスイッチ基板２３０は、位置決め用穴２３２と、２つの取付穴２３３，２３４を備えている。一方、本体ユニットの筐体は、位置決めボス２６９、および２つのネジ止め用ボス２６７，２６８を備えている。位置決めボス２６９が位置決め用穴２３２に入り込み、２つの取付穴２３３，２３４と、２つのボス２６７，２６８に形成された雌ネジ２６７ａ，２６８ａとを用いて、図２９に示すようにスイッチ基板２３０はネジ止めされる。
【００８１】
ケーブル外面の導体箔２４１は、接地部材２５０との接触部分およびスイッチ基板２３０の導体パターン２３１との接触部分の双方に跨って広がっている。スイッチ基板２３０のネジ止めにより、スイッチ基板２３０の裏面の接地パターン２３１がケーブル２４０外面の導体箔２４１を介して接地部材２５０に接地される。
【００８２】
ここではこのように、スイッチ基板２３０をケーブル２４０の外面を介して接地する構成としたため、接地のための余計な配線を不要とし、その分、このノートＰＣの小型化、軽量化に寄与している。
【００８３】
尚、ここでは、接地部材２５０を備えているが、例えば本体ユニットの筐体の内壁面を導体メッキするなど、スイッチ基板２３０上の導体パターン２３１をケーブル２４０の外面を介して接地する相手は、筐体とは別体の部材でなくてもよい。
（キーボード下の板金構造）
図３１は、上カバー２１０（図１９参照）を取り外し、さらにキーボード２１を取り外した状態の、本体ユニット２０の上面を示した図である。ここには、キーボード２１（例えば図１９参照）を下から支える板金部材２７０が広がっている。
【００８４】
図３２は、図３１に示す本体ユニット上面から板金部材２７０をさらに取り外した状態の、本体ユニット上面を示す図である。
【００８５】
板金部材２７０の下には、図３２に示すように回路基板２８０が広がっており、この回路基板２８０上には多数の電子部品が搭載されている。ここでは、回路基板２８０に搭載されている多数の電子部品のうちの、発熱電子部品であるＣＰＵ２８１およびチップセット２８２、さらに、それらＣＰＵ２８１およびチップセット２８２ほどの発熱ではないが、放熱をある程度考慮する必要のある、４個配列されたメモリＩＣ２８３に着目している。回路基板２８０上の、４個のメモリＩＣ２８３に隣接した箇所には、空気の通り道である、回路基板２８０の表裏に貫通する開口２８４が形成されている。この開口２８３からこの回路基板２８０の裏面側に備えられたファン２９０の一部が覗いている。
【００８６】
図３３は、本体ユニットの底面カバーを取り外して、その本体ユニットを底面側から見た図である。
【００８７】
ここには、図３２に一部が覗いているファン２９０があらわれている。このファン２９０は、空気流路２９１に向けて空気を吹き出すものである。このファン２９０から吹き出された空気は、空気流路２９９を通って、本体ユニット２０の底面の排気口２４９（図４参照）から本体ユニット２０の外部に排気される（後述する図３７を合わせて参照）。
【００８８】
図３４は、図３１にあらわれている板金部材２７０のみ示した図である。図３５は、その板金部材２７０の、回路基板２８０側を向いた裏面を示した斜視図である。また、図３６は、図１の矢印Ｙ−Ｙに沿う断面図、図３７は図１の矢印Ｚ−Ｚに沿う断面図である。
【００８９】
板金部材２７０は、キーボード２１（例えば図１９参照）を下から支える役割りを担っているが、その他にも、放熱部材としての役割り、ケーブルの通路形成としての役割り、さらに、回路基板２８０の表面（回路基板２８０の、図３２にあらわれている面）側の空気を開口２８４に案内する空気内部材としての役割りも担っている。
【００９０】
以下、これらの役割りについて説明する。
【００９１】
板金部材２７０には、回路基板２８０とは反対側を向いた上面（図３３，図３４に示す面）に板金部材２７０の基準面から窪んだ凹溝２７１が形成されるとともに、回路基板２８０側を向いた下面（図３５に示す面）に、上面の凹溝２７１に対応する凸条２７２が形成されている。この凹溝２７１は、図３１および図３６に示すようにケーブル２９１の通路として利用されている。板金部材２７０は電気的に接地されており、したがって回路基板２８０上の電子部品とケーブル２９１とが板金部材２７０によって電気的に分離され、相互にノイズが混入しにくい構造となっている。
【００９２】
また、板金部材２７０の、下面に設けられた凸条２７２は、図３７に示すように、４個のメモリ素子２８３に沿って延びている。ここでは、この凸条２７２が発熱部品であるメモリ素子２８３に近接し、それらのメモリ素子２８３の熱を板金部材２７０に吸熱する役割りを担っている。また、図３５，図３６に示すように、その凸条２７２の両側には斜面２７２ａ，２７２ｂが形成されている。これらの斜面２７２ａ，２７２ｂは、回路基板２８０の上面側の空気を開口２８４に円滑に流入させるのに役立っており、空気の円滑な流れによる放熱の効率化が図られている。
【００９３】
さらに、この板金部材２７０には、上面（図３４側の面）から見たときの窪み２７３，２７４、すなわち、下面（図３５側の面）から見たときの突起２７５，２７６が形成されている。これらの突起２７５，２７６は、図３２に示す、回路基板２８０上の発熱電子部品である、それぞれＣＰＵ２８１およびチップセット２８２に対応した位置に設けられている。これらの突起２７５，２７６は、伝熱パッド２７５ａ，２７６ａを挟んで、ＣＰＵ２８１，チップセット２８２に密着して、ＣＰＵ２８１，チップセット２８２から板金部材２７０への伝熱を担っている。
【００９４】
これらＣＰＵ２８１，チップセット２８２、４個のメモリ２８３等の発熱電子部品の熱は、その周囲の空気に直接に伝熱され、または、板金部材２７０に伝熱され板金部材２７０で熱が拡散された後その板金部材２７０から空気に伝熱される。このようにして熱せられた空気は、板金部材２７１の凸条２７２の斜面２７２ａ，２７２ｂによって誘導されながら開口２８４を通ってファン２９０に吸い込まれ、そのファン２９０によって排気口２４９から本体ユニット２０の外部に排気される。
【図面の簡単な説明】
【００９５】
【図１】電子機器の一実施形態としてのノートＰＣの開状態における外観を示した斜視図である。
【図２】図１と同じノートＰＣの、第１の閉状態における外観を示した斜視図である。
【図３】図１，図２と同じノートＰＣの、第２の閉状態における外観を示した斜視図である。
【図４】図１〜図３と同じノートＰＣの底面を示した斜視図である。
【図５】図１〜図４に示すノートＰＣと同じノートＰＣであって、開状態において、アンテナユニットを立設した状態を示す外観斜視図である。
【図６】図１〜図４に示すノートＰＣと同じノートＰＣであって、開状態において、アンテナユニットを横に延ばした状態を示す外観斜視図である。
【図７】アンテナユニットの収納状態を示す正面図である。
【図８】表示ユニット前面の、表示画面周囲を覆う枠体を取り外し、アンテナユニットの先端部とアンテナユニットをロックするロック機構の部分を示した斜視図である。
【図９】ロック機構を覆う回路基板を取り外してアンテナユニットおよびロック機構の部分を示した平面図である。
【図１０】スライドレバーがスライド操作された状態のロック機構を示した図である。
【図１１】アンテナユニットの分解図である。
【図１２】組み立てられた状態のアンテナユニットの回動中心の部分を、上カバー側から見たときの斜視図である。
【図１３】アンテナ収容部の、アンテナユニットの回動軸の部分を示した図である。
【図１４】板金部材を示す図である。
【図１５】図１３に示すボスに図１４に示す板金部材が嵌め込まれた状態を示した図である。
【図１６】これまで説明してきたノートＰＣと同じノートＰＣの、第１の閉状態における側面を示した斜視図である。
【図１７】同じノートＰＣの第２の閉状態における奥側を示した斜視図である。
【図１８】閉状態のノートＰＣの背面を示した斜視図である。
【図１９】開状態のノートＰＣの、本体ユニットの筐体を構成する上カバーを取り外してその上カバーとともに示した図である。
【図２０】上カバーのみを、その上カバーの側面が見える角度から示した図である。
【図２１】上カバーを上下逆向きにし、上カバーの、操作部材が配置される部分の内側を示した図である。
【図２２】上カバーから取り外した操作部材のみを示した図である。
【図２３】上カバーに操作部材を装着した状態（操作前）を示した図である。
【図２４】上カバーに操作部材を装着した状態（操作後）を示した図である。
【図２５】回路基板上に配置された切替スイッチを示した図である。
【図２６】上カバーから取り外した操作部材を上カバーのない本体ユニット上に直接に配置した状態を示した図である。
【図２７】上カバーを組立てた状態における図１の矢印Ｘに沿う部分断面図である。
【図２８】開状態にあるノートＰＣの、本体ユニットの上カバーを取り外した状態を示した斜視図である。
【図２９】スイッチ基板の部分の拡大斜視図である。
【図３０】スイッチ基板のネジ止めを取り外して、そのスイッチ基板の裏面と、ケーブルの、スイッチ基板に隠れた部分を示した図である。
【図３１】上カバーを取り外し、さらにキーボードを取り外した状態の本体ユニットの上面を示した図である。
【図３２】図３１に示す本体ユニット上面から板金部材をさらに取り外した状態の本体ユニット上面を示す図である。
【図３３】本体ユニットの底面カバーを取り外して、その本体ユニットを底面側から見た図である。
【図３４】図３１にあらわれている板金部材のみ示した図である。
【図３５】板金部材の、回路基板側を向いた裏面を示した斜視図である。
【図３６】図１の矢印Ｙ−Ｙに沿う断面図である。
【図３７】図１の矢印Ｚ−Ｚに沿う断面図である。
【符号の説明】
【００９６】
１０    ノートＰＣ
２０    本体ユニット
２１    キーボード
２２    操作ボタン
２２ａ    電源ボタン
２４    上カバー
２５    電源プラグ
２６    操作部材
２７    ロッドアンテナ
２８    検出スイッチ
２８ａ    電源スイッチ
２９    切替スイッチ
３０    表示ユニット
３１    表示画面
３３    ネジ    
３４    アンテナユニット
３４ａ    開口
３５    アンテナ収容部  
３６    ロック機構
３７    回路基板
４０    ヒンジ
５０    板金部材
５１    円環部
５１ａ    穴
５１ｂ    凸部
２１０    上カバー
２１２    開口
２１３，２１４    フック
２３０    スイッチ基板
２３１    導体パターン
２４０    ケーブル
２４１    導体箔
２４９    排気口
２５０    接地部材
２６１    操作片
２６２    操作アーム
２６２ａ    窪み
２６２ｂ    開口
２６２ｃ    スイッチ切替部
２６２ｄ    斜面
２６２ｅ    立壁面
２７０    板金部材
２７１    凹溝
２７２    凸条
２７２ａ、２７２ｂ    斜面
２７５ａ、２７６ａ    伝熱パッド
２８０    回路基板
２８１    ＣＰＵ
２８２    チップセット
２８３    メモリ素子
２８４    開口
２９０    ファン
２９１      切り替えレバー
３１０    基体
３１２    ボス
３１２ａ    雌ネジ
３１３    リブ
３２０    枠体
３４１    第１の突起
３４２    第２の突起
３４３    上カバー
３４４    アンテナ
３４５    下カバー
３４６    挿通孔
３４７    軸受部
３４７ａ    凹部
３５１    開口
３５３    ケーブル
３６１    スライドレバー
３８１ａ    脚部
３６２    係止部材
３６２ａ    係止爪
３６２ｂ    操作受アーム
３６２ｃ    押出アーム
３６３    コイルバネ
４０１    通過孔
【図１】
2010009430.tif 000003
【図２】
2010009430.tif 000004
【図３】
2010009430.tif 000005
【図４】
2010009430.tif 000006
【図５】
2010009430.tif 000007
【図６】
2010009430.tif 000008
【図７】
2010009430.tif 000009
【図８】
2010009430.tif 000010
【図９】
2010009430.tif 000011
【図１０】
2010009430.tif 000012
【図１１】
2010009430.tif 000013
【図１２】
2010009430.tif 000014
【図１３】
2010009430.tif 000015
【図１４】
2010009430.tif 000016
【図１５】
2010009430.tif 000017
【図１６】
2010009430.tif 000018
【図１７】
2010009430.tif 000019
【図１８】
2010009430.tif 000020
【図１９】
2010009430.tif 000021
【図２０】
2010009430.tif 000022
【図２１】
2010009430.tif 000023
【図２２】
2010009430.tif 000024
【図２３】
2010009430.tif 000025
【図２４】
2010009430.tif 000026
【図２５】
2010009430.tif 000027
【図２６】
2010009430.tif 000028
【図２７】
2010009430.tif 000029
【図２８】
2010009430.tif 000030
【図２９】
2010009430.tif 000031
【図３０】
2010009430.tif 000032
【図３１】
2010009430.tif 000033
【図３２】
2010009430.tif 000034
【図３３】
2010009430.tif 000035
【図３４】
2010009430.tif 000036
【図３５】
2010009430.tif 000037
【図３６】
2010009430.tif 000038
【図３７】
2010009430.tif 000039